(57)【要約】【課題】商品を購入する意欲が高いユーザに対して適切なタイミングでオークションの情報を提示することが可能な情報処理装置、情報処理方法、及び情報処理プログラムが記録された記録媒体を提供する。【解決手段】情報処理サーバＳＡは、オークションへの入札を受け付けるＷｅｂページを通じて特定の商品のオークションに入札しようとする入札者が、他の入札者の入札によって該特定の商品の落札権限を喪失した入札者である場合に、当該特定の商品のオークションで出品された商品の商品名と商品コードの少なくとも何れか一つが一致する広告対象オークションで且つ当該特定の商品のオークションにおいて既に入札されている入札額で即時落札可能な広告対象オークションを特定し、特定した広告対象オークションの情報を上記特定の商品のオークションに入札しようとする入札者に提示する。【選択図】図４
2014071761.tif 000002
【特許請求の範囲】
【請求項１】
出品された特定の商品のオークションへの入札を入札者から受け付けるページを前記入札者の端末装置に表示させる表示制御手段と、
前記ページを通じて前記特定の商品のオークションに入札しようとする入札者が、他の入札者の入札によって該特定の商品の落札権限を喪失した入札者である場合に、即決価格が設定されたオークションに関する情報を記憶する記憶手段から、前記特定の商品のオークションに関する情報に含まれ、該オークションで出品された商品の商品名と商品コードの少なくとも何れか一つが一致する他のオークションで且つ前記特定の商品のオークションにおいて既に入札されている入札額で即時落札可能な他のオークションを特定する特定手段と、
前記特定手段により特定された前記他のオークションの情報を前記特定の商品のオークションに入札しようとする入札者に提示する提示手段と、
を備えることを特徴とする情報処理装置。
【請求項２】
請求項１に記載の情報処理装置において、
前記特定手段により特定される前記他のオークションが複数ある場合に、前記提示手段は、設定された前記即決価格が相対的に低いオークションの情報を優先して提示することを特徴とする情報処理装置。
【請求項３】
請求項１に記載の情報処理装置において、
前記特定手段により特定される前記他のオークションは出品者による所定の広告費の支払いを条件に広告対象として設定されたオークションであり、
前記特定手段により特定される前記他のオークションが複数ある場合に、前記提示手段は、前記広告対象として設定された前記他のオークションの広告費が相対的に高いオークションの情報を優先して提示することを特徴とする情報処理装置。
【請求項４】
請求項１に記載の情報処理装置において、
前記特定手段により特定される前記他のオークションは、出品者による所定の広告費の支払いを条件に広告対象として設定されたオークションであり、
前記特定の商品のオークションに入札しようとする入札者により商品が購入される確率を示す情報を取得する取得手段と、
前記取得手段により取得された前記情報が示す確率に基づいて前記広告対象として設定された前記他のオークションの広告費を再設定する再設定手段と、
を備えることを特徴とする情報処理装置。
【請求項５】
請求項１に記載の情報処理装置において、
前記特定手段により特定される前記他のオークションは、出品者による所定の広告費の支払いを条件に広告対象として設定されたオークションであり、
前記特定手段により特定される前記他のオークションが複数ある場合に、設定された前記即決価格に基づいてオークションの広告費を再設定する再設定手段と、
を備えることを特徴とする情報処理装置。
【請求項６】
コンピュータにより実行される情報処理方法であって、
出品された特定の商品のオークションへの入札を入札者から受け付けるページを前記入札者の端末装置に表示させる表示制御ステップと、
前記ページを通じて前記特定の商品のオークションに入札しようとする入札者が、他の入札者の入札によって該特定の商品の落札権限を喪失した入札者である場合に、即決価格が設定されたオークションに関する情報を記憶する記憶手段から、前記特定の商品のオークションに関する情報に含まれ、該オークションで出品された商品の商品名と商品コードの少なくとも何れか一つが一致する他のオークションで且つ前記特定の商品のオークションにおいて既に入札されている入札額で即時落札可能な他のオークションを特定する特定ステップと、
前記特定ステップにより特定された前記他のオークションの情報を前記特定の商品のオークションに入札しようとする入札者に提示する提示ステップと、
を含むことを特徴とする情報処理方法。
【請求項７】
コンピュータを、
出品された特定の商品のオークションへの入札を入札者から受け付けるページを前記入札者の端末装置に表示させる表示制御手段、
前記ページを通じて前記特定の商品のオークションに入札しようとする入札者が、他の入札者の入札によって該特定の商品の落札権限を喪失した入札者である場合に、即決価格が設定されたオークションに関する情報を記憶する記憶手段から、前記特定の商品のオークションに関する情報に含まれ、該オークションで出品された商品の商品名と商品コードの少なくとも何れか一つが一致する他のオークションで且つ前記特定の商品のオークションにおいて既に入札されている入札額で即時落札可能な他のオークションを特定する特定手段、及び前記特定手段により特定された前記他のオークションの情報を前記特定の商品のオークションに入札しようとする入札者に提示する提示手段として機能させることを特徴とする情報処理プログラム。
【発明の詳細な説明】
【技術分野】
【０００１】
本発明は、オークションのユーザに対してオークションの情報を広告するシステム及び方法等の技術分野に関する。
【背景技術】
【０００２】
従来から、ネットワークを介して行われるオークション（ネットオークション）において、出品者が出品した自己の商品をアピールするために、該出品者が予め設定したキーワードに対する検索結果、または該出品者が出品した商品に関連する関連商品を閲覧しているユーザに対して該出品者が出品した商品を広告表示するシステムが知られている。例えば、特許文献１には、出品物ホームページに掲載された出品物と同一あるいは関連する出品物に係る他のオークションのバナー広告を該出品物ホームページに掲載するオークションシステムが開示されている。
【先行技術文献】
【特許文献】
【０００３】
【特許文献１】特開２００５−２８５１４３号公報
【発明の概要】
【発明が解決しようとする課題】
【０００４】
しかしながら、特許文献１を含む従来の技術では、例えば事前リサーチのために商品情報を収集しているユーザなど、まだ商品を購入する意欲が高くないユーザに対しても、出品者が出品した商品のオークションが広告表示されてしまうため、広告効果が高いとはいえなかった。
【０００５】
本発明は、以上の点等に鑑みてなされたものであり、商品を購入する意欲が高いユーザに対して適切なタイミングでオークションの情報を提示することが可能な情報処理装置、情報処理方法、及び情報処理プログラムが記録された記録媒体を提供することを課題とする。
【課題を解決するための手段】
【０００６】
上記課題を解決するために、請求項１に記載の発明は、出品された特定の商品のオークションへの入札を入札者から受け付けるページを前記入札者の端末装置に表示させる表示制御手段と、前記ページを通じて前記特定の商品のオークションに入札しようとする入札者が、他の入札者の入札によって該特定の商品の落札権限を喪失した入札者である場合に、即決価格が設定されたオークションに関する情報を記憶する記憶手段から、前記特定の商品のオークションに関する情報に含まれ、該オークションで出品された商品の商品名と商品コードの少なくとも何れか一つが一致する他のオークションで且つ前記特定の商品のオークションにおいて既に入札されている入札額で即時落札可能な他のオークションを特定する特定手段と、前記特定手段により特定された前記他のオークションの情報を前記特定の商品のオークションに入札しようとする入札者に提示する提示手段と、を備えることを特徴とする。
【０００７】
この発明によれば、特定の商品のオークションに出品された商品と商品名等が同じ商品が出品される他のオークションで且つ該特定の商品のオークションにおいて既に入札されている入札額で即時落札可能な他のオークションの情報を、適切なタイミングで該特定の商品を購入する意欲が高いユーザに提示することができる。
【０００８】
請求項２に記載の発明は、請求項１に記載の情報処理装置において、前記特定手段により特定される前記他のオークションが複数ある場合に、前記提示手段は、設定された前記即決価格が相対的に低いオークションの情報を優先して提示することを特徴とする。
【０００９】
この発明によれば、閲覧又は購入される期待値が高い他のオークションを、上記特定の商品のオークションに入札しようとする入札者に対して効果的に提示することができる。
【００１０】
請求項３に記載の発明は、請求項１に記載の情報処理装置において、前記特定手段により特定される前記他のオークションは出品者による所定の広告費の支払いを条件に広告対象として設定されたオークションであり、前記特定手段により特定される前記他のオークションが複数ある場合に、前記提示手段は、前記広告対象として設定された前記他のオークションの広告費が相対的に高いオークションの情報を優先して提示することを特徴とする。
【００１１】
この発明によれば、他のオークションの出品者は、広告費に見合った利益を受けることができる。
【００１２】
請求項４に記載の発明は、請求項１に記載の情報処理装置において、前記特定手段により特定される前記他のオークションは、出品者による所定の広告費の支払いを条件に広告対象として設定されたオークションであり、前記特定の商品のオークションに入札しようとする入札者により商品が購入される確率を示す情報を取得する取得手段と、前記取得手段により取得された前記情報が示す確率に基づいて前記広告対象として設定された前記他のオークションの広告費を再設定する再設定手段と、を備えることを特徴とする。
【００１３】
この発明によれば、他のオークションの出品者が支払う広告費に見合った利益を受けることができるように後から自動的に調整することができる。
【００１４】
請求項５に記載の発明は、請求項１に記載の情報処理装置において、前記特定手段により特定される前記他のオークションは、出品者による所定の広告費の支払いを条件に広告対象として設定されたオークションであり、前記特定手段により特定される前記他のオークションが複数ある場合に、設定された前記即決価格に基づいてオークションの広告費を再設定する再設定手段と、を備えることを特徴とする。
【００１５】
この発明によれば、他のオークションの出品者が支払う広告費に見合った利益を受けることができるように後から自動的に調整することができる。
【００１６】
請求項６に記載の発明は、コンピュータにより実行される情報処理方法であって、出品された特定の商品のオークションへの入札を入札者から受け付けるページを前記入札者の端末装置に表示させる表示制御ステップと、前記ページを通じて前記特定の商品のオークションに入札しようとする入札者が、他の入札者の入札によって該特定の商品の落札権限を喪失した入札者である場合に、即決価格が設定されたオークションに関する情報を記憶する記憶手段から、前記特定の商品のオークションに関する情報に含まれ、該オークションで出品された商品の商品名と商品コードの少なくとも何れか一つが一致する他のオークションで且つ前記特定の商品のオークションにおいて既に入札されている入札額で即時落札可能な他のオークションを特定する特定ステップと、前記特定ステップにより特定された前記他のオークションの情報を前記特定の商品のオークションに入札しようとする入札者に提示する提示ステップと、を含むことを特徴とする。
【００１７】
請求項７に記載の情報処理プログラム（コンピュータ読み取り可能なプログラム）は、コンピュータを、出品された特定の商品のオークションへの入札を入札者から受け付けるページを前記入札者の端末装置に表示させる表示制御手段、前記ページを通じて前記特定の商品のオークションに入札しようとする入札者が、他の入札者の入札によって該特定の商品の落札権限を喪失した入札者である場合に、即決価格が設定されたオークションに関する情報を記憶する記憶手段から、前記特定の商品のオークションに関する情報に含まれ、該オークションで出品された商品の商品名と商品コードの少なくとも何れか一つが一致する他のオークションで且つ前記特定の商品のオークションにおいて既に入札されている入札額で即時落札可能な他のオークションを特定する特定手段、及び前記特定手段により特定された前記他のオークションの情報を前記特定の商品のオークションに入札しようとする入札者に提示する提示手段として機能させることを特徴とする。
【発明の効果】
【００１８】
本発明によれば、特定の商品のオークションに出品された商品と商品名等が同じ商品が出品される他のオークションで且つ該特定の商品のオークションにおいて既に入札されている入札額で即時落札可能な他のオークションの情報を、適切なタイミングで該特定の商品を購入する意欲が高いユーザに提示することができる。
【図面の簡単な説明】
【００１９】
【図１】本実施形態に係るオークション処理システムＳの概要構成の一例を示す図である。
【図２】（Ａ）は、本実施形態に係る情報処理サーバＳＡの概要構成例を示す図であり、（Ｂ）は、システム制御部４における機能ブロックの一例を示す図である。
【図３】各種データベースに登録される内容（項目）の一例を示す図である。
【図４】情報処理サーバＳＡのシステム制御部４における広告提示判定処理の一例を示すフローチャートである。
【図５】（Ａ）は、ユーザにより指定された特定の商品のオークションへの入札を受け付けるＷｅｂページの画面例であり、（Ｂ）は、広告対象オークションの情報が表示されたＷｅｂページの画面例を示す図である。
【図６】（Ａ）〜（Ｃ）は、ステップＳ４の条件判定時においてオークション情報データベース２１に登録されている情報例（一部）を示す図であり、（Ｄ）は、ステップＳ８の優先度決定時においてオークション情報データベース２１に登録されている情報例（一部）を示す図である。
【発明を実施するための形態】
【００２０】
以下、図面を参照して本発明の実施形態について説明する。なお、以下に説明する実施の形態は、オークション処理システムに対して本発明を適用した場合の実施形態である。
【００２１】
［１．オークション処理システムの構成及び機能概要］
先ず、本発明の一実施形態に係るオークション処理システムＳの構成及び概要機能について、図１を用いて説明する。図１は、本実施形態に係るオークション処理システムＳの概要構成の一例を示す図である。図１に示すように、オークション処理システムＳは、複数のユーザ端末Ｔｎ（ｎ＝１，２，３・・・ｋ）と、情報処理サーバＳＡと、を含んで構成されている。ユーザ端末Ｔｎ及び情報処理サーバＳＡは、夫々、ネットワークＮＷに接続される。ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２２】
情報処理サーバＳＡは、ネットワークＮＷを介して行われるオークションに関する各種処理を実行する情報処理装置であり、オークションサイトをユーザ端末Ｔｎに提供する。情報処理サーバＳＡは、オークションサイトにアクセスしたユーザ端末Ｔｎからのリクエストに応じて、オークションに関するページ（例えばＷｅｂページ）をオークションのユーザ（利用者）のユーザ端末Ｔｎ（端末装置の一例）に送信することでユーザ端末Ｔｎに表示させる。オークションのユーザとしては、オークションに商品を出品する出品者（オークションの出品者）、及び出品された商品のオークションに入札する入札者（オークションの入札者）が挙げられる。
【００２３】
オークションのユーザにより使用されるユーザ端末Ｔｎには、Ｗｅｂブラウザ等のソフトウェアがインストールされている。ユーザ端末Ｔｎは、Ｗｅｂブラウザにより情報処理サーバＳＡへリクエストを送信することで取得した上記Ｗｅｂページをディスプレイに表示する。ユーザは、ディスプレイに表示されたＷｅｂページを通じて、オークションへの出品、またはオークションへの入札等を行うことができる。なお、ユーザ端末Ｔｎには、例えば、パーソナルコンピュータ、ＰＤＡ（Personal Digital Assistant）、スマートフォン等の携帯情報端末、携帯電話機、携帯ゲーム機等が用いられる。
【００２４】
図２（Ａ）は、本実施形態に係る情報処理サーバＳＡの概要構成例を示す図である。図２（Ａ）に示すように、情報処理サーバＳＡは、通信部１と、記憶部２と、入出力インターフェース部３と、システム制御部４と、を備えている。そして、システム制御部４と入出力インターフェース部３とは、システムバス５を介して接続されている。通信部１は、ネットワークＮＷに接続して、ユーザ端末Ｔｎとの通信状態を制御するようになっている。
【００２５】
記憶部２は、例えば、ハードディスクドライブ等により構成されており、オペレーティングシステム及びオークション処理プログラム（本発明の情報処理プログラムを含む）等の各種プログラムを記憶する。なお、情報処理プログラムは、例えば、所定のサーバ等からネットワークＮＷを介してダウンロードされるようにしても良いし、ＣＤ（Compact Disc）、ＤＶＤ（Digital Versatile Disc）等の記録媒体に記録されて読み込まれるようにしても良い。また、記憶部２には、ユーザ端末Ｔｎに表示させるＷｅｂページを構成する構造化文書（例えば、ＨＴＭＬ（Hyper Text Markup Language）文書やＸＨＴＭＬ文書等）ファイル及び画像データ等が記憶されている。更に、記憶部２には、出品された商品のオークションに関する情報を複数のオークションごとに登録するオークション情報データベース（ＤＢ）２１、及びオークションの利用登録がなされたユーザのユーザ情報をユーザごとに登録するユーザ情報データベース（ＤＢ）２２等が設けられる。なお、オークション情報データベース２１、及びユーザ情報データベース２２は、情報処理サーバＳＡとは異なるサーバに設けられてもよい。
【００２６】
図３は、各種データベースに登録される内容（項目）の一例を示す図である。図３（Ａ）に示すオークション情報データベース２１には、オークションＩＤ、オークション名、出品者ＩＤ、出品日時、終了日時、商品特定情報、開始価格、即決価格（即落価格）、現在価格、残り時間、入札者ＩＤ、入札日時、入札金額、入札数、及び広告オプション等の情報がオークションごとに対応付けられて登録される。なお、出品された商品が落札された場合、該商品の落札価格及び落札者への配送先がオークション情報データベース２１に登録される。また、図３（Ａ）には、図示していないが、オークション情報データベース２１には、配送方法及び支払方法等の情報も含まれる。なお、出品された商品の詳細情報（商品説明等の情報）は、オークション情報データベース２１にオークションＩＤに対応付けて登録されてもよいし、オークション情報データベース２１とは別に設けられた商品情報データベース（図示せず）にオークションＩＤに対応付けて登録されてもよい。さらに、オークション情報データベース２１に登録された情報のうち、現在価格及び残り時間などの、終了日時までに更新される情報については、オークション情報データベース２１とは別に設けられたデータベース（図示せず）にオークションＩＤに対応付けて登録されてもよい。
【００２７】
ここで、オークションＩＤは、オークションを識別する識別情報であり、オークションごとに異なる。オークション名は、出品者により任意に付けられるオークション自体の名称であり、例えば出品に係る商品名やその特徴等を含む文字列（記号や数値を含んでもよい）等から構成される。出品者ＩＤは、オークションの出品者を識別する識別情報であり、例えば該出品者のユーザＩＤである。出品日時は、オークションの出品者により商品が該オークションに出品された年月日及び出品時刻である。終了日時は、オークションが終了する年月日及び終了時刻であり、例えば、オークションの出品者がＷｅｂページ上で指定することで設定される。商品特定情報は、出品された商品を特定可能な情報であり、例えば、オークションの出品者がＷｅｂページ上で指定することで設定される。商品特定情報には、例えば、該オークションで出品された商品の商品名、出品された商品の商品コード、出品された商品の商品カテゴリ、及び出品された商品の商品画像等が該当する。商品名は、文字列（記号や数値を含んでもよい）等により構成される。なお、商品名とオークション名とが同じである場合もある。商品コードには、例えば商品の型番（例えば商品のメーカにより設定）、商品の品番（例えば商品に付与されたバーコードの下に記載された番号）、またはＪＡＮコード等が該当する。商品特定情報は、商品名のみ、または商品コードのみの場合もある。
【００２８】
即決価格は、オークションの終了時刻より前に商品を即時落札可能（即決可能）な価格であり、オークションの出品者がＷｅｂページ上で指定することで設定される。言い換えれば、即決価格は、入札することで入札先着順に落札することができる価格を示す。開始価格は、オークション開始時の価格であり、例えば、オークションの出品者がＷｅｂページ上で指定することで設定される。現在価格は、最高入札額であり入札があるごとに更新される。なお、入札が未だ無い場合、現在価格は開始価格となる。残り時間は、オークションの終了時刻までの時間である。
【００２９】
入札者ＩＤは、オークションの入札者を識別する識別情報であり、例えば該入札者のユーザＩＤである。入札日時は、オークションの入札者が該オークションに入札した年月日及び入札時刻である。入札金額は、オークションの入札者がオークションに入札するときに指定した入札額である。なお、オークションに複数の入札者が入札した場合、それぞれの入札者の入札者ＩＤ、入札日時、及び入札金額の組が該オークションのオークションＩＤに対応付けられて登録される。入札数は、オークションの入札者の人数である。広告オプションは、広告対象として設定されたオークションであるか否かを示す情報である。例えば、オークションの出品者が所定の広告費の支払い（ポイントでの支払いでもよい）を条件に、オークションの出品者がＷｅｂページ上で広告対象として指定することで当該オークションは広告対象として設定され、広告オプション“〇”が登録される。広告対象として設定されたオークション（以下、「広告対象オークション」という）の情報は、後述する条件の下で、該広告対象オークション以外のオークションに入札しようとする入札者に提示される。広告費は、広告対象オークションの出品者の指示に基づき、低い広告費から高い広告費まで段階的に設定可能である。例えば、広告単価（広告費最低額）の１倍、２倍・・・というように設定される。広告費が相対的に高く設定された広告対象オークションほど、該広告対象オークションの情報が広告として、該広告対象オークション以外のオークションに入札しようとする入札者に対して優先して提示される。
【００３０】
図３（Ｂ）に示すユーザ情報データベース２２には、ユーザＩＤ、ログインＩＤ、パスワード、氏名、メールアドレス、閲覧履歴、及び購入履歴等の情報がユーザごとに対応付けられて登録される。
【００３１】
ここで、ユーザＩＤは、オークションの利用登録がなされたユーザを識別する識別情報である。オークションの利用登録がなされたユーザは、オークションへの出品又は入札を行うことができる。ログインＩＤ及びパスワードは、ユーザが例えばオークションに出品又は入札する際にログインするための認証情報である。
【００３２】
閲覧履歴には、例えばユーザが閲覧したＷｅｂページ（例えばオークションサイトまたはショッピングサイトで商品の情報が掲載されるＷｅｂページ）のＵＲＬ、該Ｗｅｂページに掲載された商品の商品名または商品コード、及び閲覧日時（年月日及び閲覧時刻）等の情報が含まれる。なお、閲覧履歴は、ログインしているユーザの操作によりＷｅｂページがユーザ端末Ｔｎに表示された場合又はユーザ端末Ｔｎからのリクエストに応答してＷｅｂページの情報をユーザに送信した場合に登録される。或いは、ユーザ端末ＴｎのＷｅｂブラウザにより保存されている閲覧履歴が、該ユーザ端末Ｔｎのユーザのログイン時に情報処理サーバＳＡに送信されて登録されてもよい。なお、閲覧履歴は、ユーザ情報データベース２２とは別に設けられた閲覧履歴データベースにユーザＩＤと対応付けられて登録されるように構成してもよい。
【００３３】
購入履歴には、ユーザがオークションサイトまたはショッピングサイトで購入した商品の商品名または商品コード、購入個数、購入価格、及び購入日時（年月日及び購入時刻）等の情報が含まれる。なお、購入履歴には、ユーザにより商品が購入される確率（転換率）を示す情報が含まれるように構成してもよい。商品が購入される確率（転換率）とは、例えば、ユーザが過去にＷｅｂページ上で閲覧された商品の数に対して、該ユーザにより購入された商品の数の割合（購入された商品の数／閲覧された商品の数）を示す。このような確率（転換率）は、例えば、該ユーザの閲覧履歴及び購入履歴に基づき算出することができる。なお、購入履歴は、ユーザ情報データベース２２とは別に設けられた購入履歴データベースにユーザＩＤと対応付けられて登録されるように構成してもよい。
【００３４】
入出力インターフェース部３は、通信部１及び記憶部２とシステム制御部４との間のインターフェース処理を行うようになっている。
【００３５】
システム制御部４は、ＣＰＵ（Central Processing Unit）４ａ、ＲＯＭ（Read Only Memory）４ｂ、ＲＡＭ（Random Access Memory）４ｃ等により構成されている。図２（Ｂ）は、システム制御部４における機能ブロックの一例を示す図である。コンピュータとしてのシステム制御部４は、記憶部２に記憶されたオークション処理プログラムにしたがって、オークションに関する各種処理を実行する。このような処理において、システム制御部４は、図２（Ｂ）に示すように、出品受付処理部４１、入札受付処理部４２、落札処理部４３、広告対象オークション特定部４４、及び広告対象オークション提示部４５等として機能する。なお、出品受付処理部４１は、本発明における再設定手段の一例である。入札受付処理部４２は、本発明における表示制御手段の一例である。広告対象オークション特定部４４は、本発明における特定手段の一例である。広告対象オークション提示部４５は、本発明における提示手段、及び取得手段の一例である。
【００３６】
出品受付処理部４１は、例えば、オークションへの出品を受け付けるＷｅｂページのユーザ端末Ｔｎへの提供、オークションの出品者のユーザ端末Ｔｎからの出品情報の取得、各種パラメータの設定、広告費の設定、オークションＩＤの設定、及び出品情報の登録などの処理を実行する。ここで、出品情報には、例えば、出品者ＩＤ、出品日時、終了日時、商品特定情報、開始価格、即決価格、及び広告オプション等が含まれる。なお、即決価格は、オークションの出品者により指定されている場合に限り出品情報に含まれる。各種パラメータの設定では、開始価格に基づき現在価格が該オークションに対して設定（開始価格が現在価格として設定）される。また、即決価格が出品情報に含まれている場合、該オークションに対して該即決価格が設定される。更に、終了日時に基づき残り時間が該オークションに対して設定される。こうして、該オークションに対して設定された各パラメータを含む上記出品情報に対して固有のオークションＩＤが設定され、該出品情報と該オークションＩＤとが対応付けられてオークション情報データベース２１に登録される。
【００３７】
入札受付処理部４２は、例えば、オークションへの入札を受け付けるＷｅｂページのユーザ端末Ｔｎへの提供、オークションの入札者のユーザ端末Ｔｎからの入札情報の取得、入札情報の登録、及び入札数の登録などの処理を実行する。ここで、入札情報には、例えば、入札対象のオークションのオークションＩＤ、入札者ＩＤ、入札日時、及び入札金額等の情報が含まれる。そして、入札情報に含まれるオークションＩＤと一致するオークションＩＤに対応付けられて入札情報がオークション情報データベース２１に登録される。ここで登録される入札金額は、この登録時点で最高入札額（最高入札金額）である。
【００３８】
落札処理部４３は、入札情報に含まれる入札金額が即決価格以上である場合、または残り時間が“０”となった場合に落札処理を実行する。落札処理では、落札者（即決価格以上の入札金額を最先に指定した入札者、または残り時間が“０”となった時点で最高入札額を指定していた入札者）、及びオークションの出品者へ商品の落札があった旨の情報が通知される。
【００３９】
広告対象オークション特定部４４は、オークションへの入札を受け付けるＷｅｂページを通じて特定の商品のオークションに入札しようとする入札者が、他の入札者の入札によって該特定の商品の落札権限を喪失した入札者である場合に、当該特定の商品のオークションで出品された商品の商品名と商品コードの少なくとも何れか一つが一致する広告対象オークション（未終了の他のオークション）で且つ当該特定の商品のオークションにおいて既に入札されている入札額で即時落札可能な広告対象オークションをオークション情報データベース２１から特定する。
【００４０】
広告対象オークション提示部４５は、広告対象オークション特定部４４により特定される広告対象オークションの情報を上記特定の商品のオークションに入札しようとする入札者に提示する。
【００４１】
［２．オークション処理システムの動作］
次に、本実施形態に係るオークション処理システムＳの動作について、図４等を用いて説明する。なお、以下の説明する動作の前提として、即決価格が設定された広告対象オークションがオークション情報データベース２１に登録されているものとする。図４は、情報処理サーバＳＡのシステム制御部４における広告提示判定処理の一例を示すフローチャートである。
【００４２】
情報処理サーバＳＡのシステム制御部４は、ネットワークＮＷを介してアクセスしてきたユーザ端末Ｔｎのユーザのログイン処理後にユーザ端末Ｔｎに表示されたＷｅｂページ（例えば、オークションで出品された商品を選択するＷｅｂページ）上で該ユーザが所望する特定の商品を指定すると、該特定の商品のオークションへの入札を受け付けるＷｅｂページの取得要求が情報処理サーバＳＡへ送信される。情報処理サーバＳＡのシステム制御部４は、Ｗｅｂページの取得要求を受信すると、該特定の商品のオークションへの入札を受け付けるＷｅｂページをユーザ端末Ｔｎへ送信してＷｅｂブラウザにより表示させる。
【００４３】
図５（Ａ）は、ユーザにより指定された特定の商品のオークションへの入札を受け付けるＷｅｂページの画面例である。このような表示状態において、ユーザ端末Ｔｎのユーザが操作部を操作して入札しようとする能動的なアクションを行うと、広告対象オークションの広告提示判定要求が情報処理サーバＳＡへ送信される。入札しようとする能動的なアクションの例としては、（ａ）入札額入力欄５１を選択（例えばマウスでクリック、または指等でタップ）すること、（ｂ）入札額入力欄５１に数値を入力（例えばキーボード、またはテンキーにより入力）すること、（ｃ）入札額入力欄５１に最高入札額を入力し且つ入札するボタン５２をマウスオーバー（例えば、マウスのアイコンを入札するボタン５２上に移動させる）することなどが挙げられる。或いは、入札しようとする能動的なアクションとして、例えば、オークションで出品された商品を選択するＷｅｂページ上で該ユーザが所望する特定の商品を指定することであってもよく、この場合、該Ｗｅｂページの取得要求に上記広告提示判定要求が含まれることになる。
【００４４】
そして、情報処理サーバＳＡのシステム制御部４は、上記広告提示判定要求を受信すると、図４に示す処理を開始する。図４に示す処理が開始されると、システム制御部４の広告対象オークション特定部４４は、先ず、上記特定の商品のオークションへの入札を受け付けるＷｅｂページを通じて該特定の商品のオークションに入札しようとする入札者が、他の入札者の入札によって該特定の商品の落札権限を喪失した入札者であるか否かを、オークション情報データベース２１を参照して判定する（ステップＳ１）。ここで、特定の商品のオークションに入札しようとする入札者は、上記広告提示判定要求元のユーザ端末Ｔｎのユーザであり、上記ログイン処理によりユーザＩＤが特定されているユーザである。落札権限を喪失した入札者とは、上記特定の商品のオークションへの入札をある入札額で行ったが、該入札後に該入札額を上回る最高入札額で他の入札者のより入札された入札者をいう。例えば、オークション情報データベース２１において、上記ログイン処理により特定されたユーザのユーザＩＤに対応付けられた入札金額が現在価格より低い場合、当該ユーザは落札権限を喪失した入札者であると判定（条件を満たすと判定）される。
【００４５】
そして、上記特定の商品のオークションに入札しようとする入札者が、他の入札者の入札によって該特定の商品の落札権限を喪失した入札者であると判定された場合（ステップＳ１：ＹＥＳ）、ステップＳ２へ進み、該商品の落札権限を喪失した入札者でないと判定された場合（ステップＳ１：ＮＯ）、図４に示す処理が終了され、他の処理（例えば、入札受付処理等）へ移行する。
【００４６】
ステップＳ２では、システム制御部４の広告対象オークション特定部４４は、オークション情報データベース２１を参照して、上記特定の商品のオークションで出品された商品の商品名と商品コードの少なくとも何れか一つが一致する未終了の広告対象オークション（つまり、即決価格が設定され、且つ広告対象として設定されたオークション）があるか否かを判定する。例えば、上記特定の商品のオークションで出品された商品の商品コードと一致する商品コードを出品情報中に含む広告対象オークションがオークション情報データベース２１に登録されている場合、ステップＳ２で広告対象オークションがあると判定され（ステップＳ２：ＹＥＳ）、ステップＳ３へ進む。一方、広告対象オークションがないと判定された場合（ステップＳ２：ＮＯ）、図４に示す処理が終了され、他の処理（例えば、入札受付処理等）へ移行する。
【００４７】
ステップＳ３では、システム制御部４の広告対象オークション特定部４４は、ステップＳ２で条件を満たすと判定された広告対象オークションの情報（例えば、商品特定情報、即決価格、現在価格、入札数等）をオークション情報データベース２１から抽出する。
【００４８】
次いで、システム制御部４の広告対象オークション特定部４４は、ステップＳ３で抽出された広告対象オークションの中に、上記特定の商品のオークションにおいて既に入札されている入札額で即時落札可能な広告対象オークションがあるか否かを判定する（ステップＳ４）。例えば、上記特定の商品のオークションにおける現在価格（オークション情報データベース２１から取得）と、広告対象オークションにおける即決価格（上記ステップＳ３で抽出）とが比較され、上記即決価格が上記現在価格以下である広告対象オークションがある場合、既に入札されている入札額で即時落札可能な広告対象オークションがあると判定（条件を満たすと判定）される。
【００４９】
図６（Ａ）〜（Ｃ）は、ステップＳ４の条件判定時においてオークション情報データベース２１に登録されている情報例（一部）を示す図である。なお、図６（Ａ）〜（Ｃ）に示す例において、オークションＩＤ“００１”が対応付けられた情報は広告対象オークションに関する情報であり、オークションＩＤ“００２”が対応付けられた情報は、特定の商品のオークションに関する情報である。図６（Ａ）に示す例では、オークションＩＤ“００２”の特定の商品のオークションにおける入札者ＩＤ“ｅｅｅ”の入札者（落札権限を喪失した入札者）が入札額“１５００円”で応札しようとした時には、オークションＩＤ“００１”の広告対象オークションにおける即決価格“１５００円”が、オークションＩＤ“００２”のオークションにおける現在価格“１４００円”より大きいため、ステップＳ４における条件を満たさない。これは、落札権限を喪失した入札者は、上記特定の商品のオークションにおいて入札額“１５００円”で応札すればよいのであり、敢えて広告対象オークションの情報を提示する必要性は薄いからである。一方、図６（Ｂ）に示す例では、オークションＩＤ“００２”の特定の商品のオークションにおける入札者ＩＤ“ｅｅｅ”または“ｆｆｆ”の入札者（落札権限を喪失した入札者）が入札額“１６００円”で応札しようとした時には、オークションＩＤ“００１”の広告対象オークションにおける即決価格“１５００円”が、オークションＩＤ“００２”のオークションにおける現在価格“１５００円”と等しいため、ステップＳ４における条件を満たす。また、図６（Ｃ）に示す例では、オークションＩＤ“００２”の特定の商品のオークションにおける入札者ＩＤ“ｅｅｅ”、“ｆｆｆ”、または“ｇｇｇ”の入札者（落札権限を喪失した入札者）が入札額“１７００円”で応札しようとした時には、オークションＩＤ“００１”の広告対象オークションにおける即決価格“１５００円”が、オークションＩＤ“００２”のオークションにおける現在価格“１６００円”より小さいため、ステップＳ４における条件を満たす。
【００５０】
なお、上記ステップＳ４において、広告対象オークション特定部４４は、ステップＳ３で抽出された広告対象オークションの中に、入札しようとする入札者が上記特定の商品のオークションに既に入札した時の入札額で即時落札可能な広告対象オークションがあるか否かを判定するように構成してもよい。図６（Ｃ）に示す例では、オークションＩＤ“００２”の特定の商品のオークションにおける入札者ＩＤ“ｇｇｇ”の入札者が入札額“１７００円”で応札しようとした時には、オークションＩＤ“００１”の広告対象オークションにおける即決価格“１５００円”と同額の入札額で該入札者が上記特定の商品のオークションに既に入札しているため、ステップＳ４における条件を満たすことになる。入札者ＩＤ“ｇｇｇ”の入札者は、既に、即決価格（１５００円）を当該商品に支払うことを明示しているため、このような入札者に対して、広告対象オークションの情報を提示すれば、該広告対象オークションで出品された商品を即決価格で購入される期待値が高く、したがって、広告効果を高めることができる。
【００５１】
そして、ステップＳ３で抽出された広告対象オークションの中に、上記特定の商品のオークションにおいて既に入札されている入札額で即時落札可能な広告対象オークションがあると判定された場合（ステップＳ４：ＹＥＳ）、ステップＳ５へ進む。一方、ステップＳ３で抽出された広告対象オークションの中に、上記特定の商品のオークションにおいて既に入札されている入札額で即時落札可能な広告対象オークションがないと判定された場合（ステップＳ４：ＮＯ）、図４に示す処理が終了され、他の処理（例えば、入札受付処理等）へ移行する。
【００５２】
ステップＳ５では、システム制御部４の広告対象オークション特定部４４は、ステップＳ４で、条件を満たすと判定された広告対象オークションを特定（例えば、オークションＩＤで特定）する。次いで、システム制御部４の広告対象オークション特定部４４は、ステップＳ５で特定された広告対象オークションが複数あるか否かを判定する（ステップＳ６）。そして、特定された広告対象オークションが複数ない（つまり、一つだけある）と判定された場合（ステップＳ６：ＮＯ）、ステップＳ７に進む。そして、特定された広告対象オークションが複数あると判定された場合（ステップＳ６：ＹＥＳ）、ステップＳ８に進む。
【００５３】
ステップＳ７では、システム制御部４の広告対象オークション提示部４５は、ステップＳ５で特定された広告対象オークションの情報（例えば、商品特定情報、即決価格、現在価格、入札数等）を、上記特定の商品のオークションに入札しようとする入札者（つまり、落札権限を喪失した入札者）に提示する提示処理を実行する。この提示処理では、広告対象オークション提示部４５は、例えば、特定の商品のオークションへの入札を受け付けるＷｅｂページが表示されている状態で、広告対象オークションの情報をユーザ端末Ｔｎへ送信してＷｅｂブラウザにより表示させる。例えばAjaxを用いることによりＷｅｂページ全体をリフレッシュすることなく広告対象オークションの情報を表示させることで該入札者に提示する。
【００５４】
図５（Ｂ）は、広告対象オークションの情報が表示されたＷｅｂページの画面例を示す図である。図５（Ｂ）に示す例では、広告対象オークションの情報として、商品名、即決価格、現在価格、及び入札数が別ウインドウ５３でポップアップ表示されている。これにより、上記特定の商品のオークションに入札しようとする入札者は、当該特定の商品と同一の商品が出品された他の広告対象オークションがあることを、当該特定の商品の入札前に知ることができる。さらに、図５（Ｂ）に示す例では、この広告対象オークションの情報には、例えば、当該広告対象オークションへの入札を受け付けるＷｅｂページへのリンク（ＵＲＬ）が設定されており、上記特定の商品のオークションに入札しようとする入札者により当該リンクが選択（例えばマウスでクリック、または指等でタップ）されると、システム制御部４は、当該広告対象オークションへの入札を受け付けるＷｅｂページをユーザ端末Ｔｎへ送信してＷｅｂブラウザにより表示させることになる（ページ遷移）。これにより、上記特定の商品のオークションに入札しようとする入札者は、特定の商品のオークションに代えて、提示された広告対象オークションへの入札を迅速に行うことができる。なお、広告対象オークションの情報は、その他の方法で提示するように構成してもよい。例えば、上記特定の商品のオークションに入札しようとする入札者のユーザＩＤに対応付けられてユーザ情報データベース２２に登録されているメールアドレス宛に広告対象オークションの情報を送信するように構成してもよい。
【００５５】
ステップＳ８では、システム制御部４の広告対象オークション提示部４５は、ステップＳ５で特定された複数の広告対象オークションの少なくとも一部の広告対象オークションに対して広告提示の優先度を決定する。広告提示の優先度とは、複数の広告対象オークションの中でどの広告対象オークションを優先してユーザへ提示するかを示すパラメータである。広告提示の優先度が大きい（高い）広告対象オークションほど、上記特定の商品のオークションに入札しようとする入札者に優先して提示されることになる。例えば、広告提示の優先度は、例えば「大」、「中」、「小」で表され（数値で表されてもよい）、優先度「大」が決定された広告対象オークションが最も優先して提示されることになる。なお、ステップＳ５で特定された全ての広告対象オークションに対して優先度を決定しなくてもよい（つまり、一部の広告対象オークションに対して優先度を決定する）。優先度が決定されなかった広告対象オークションの提示は、優先度が決定された広告対象オークションが提示された後に行われる。
【００５６】
例えば、広告対象オークション提示部４５は、ステップＳ５で特定された複数の広告対象オークションの中で、設定された即決価格が相対的に低いオークションに対して広告提示の優先度「大」を決定する。図６（Ｄ）は、ステップＳ８の優先度決定時においてオークション情報データベース２１に登録されている情報例（一部）を示す図である。図６（Ｄ）に示す例において、オークションＩＤ“００１”、“００３”、及び“００４”が対応付けられた情報は、それぞれ、広告対象オークションに関する情報であり、オークションＩＤ“００２”が対応付けられた情報は、特定の商品のオークションに関する情報である。そして、図６（Ｄ）に示す例では、オークションＩＤ“００１”の広告対象オークションに設定された即決価格が“１５００円”と最も大きく（高く）、オークションＩＤ“００４”の広告対象オークションに設定された即決価格が“１３００円”と最も小さい（低い）。相対的に即決価格が高い広告対象オークションの方がユーザに閲覧又は購入される期待値が低い。そのため、このような即決価格の大小関係に基づいて、例えば、オークションＩＤ“００４”の広告対象オークションに対して広告提示の優先度「大」が決定され、例えば、オークションＩＤ“００３”の広告対象オークションに対して広告提示の優先度「中」が決定され、例えば、オークションＩＤ“００１”の広告対象オークションに対して広告提示の優先度「小」が決定される。これにより、設定された即決価格が相対的に低いオークションの情報が優先して、上記特定の商品のオークションに入札しようとする入札者に提示される。このような構成によれば、閲覧又は購入される期待値が高い広告対象オークションを、上記特定の商品のオークションに入札しようとする入札者に対して効果的に提示することが可能となる。加えて、広告提示の優先度を決定することなく、ステップＳ５で特定された全ての広告対象オークションの情報を同等に提示することに比べて、情報処理サーバＳＡ及びネットワークＮＷに与える負荷を低減することができる。
【００５７】
また、別の例として、広告対象オークション提示部４５は、ステップＳ５で特定された複数の広告対象オークションの中で、設定された広告費が相対的に高い広告対象オークションに対して広告提示の優先度「大」を決定するように構成してもよい。これにより、設定された広告費が相対的に高いオークションの情報が優先して、上記特定の商品のオークションに入札しようとする入札者に提示される。このような構成によれば、広告対象オークションの出品者は、広告費に見合った利益を受けることが可能となる。
【００５８】
次いで、システム制御部４の広告対象オークション提示部４５は、ステップＳ８で決定した広告提示の優先度にしたがって、ステップＳ５で特定された広告対象オークションの情報を、上記特定の商品のオークションに入札しようとする入札者に提示する提示処理を実行する（ステップＳ９）。広告提示の優先度にしたがった提示処理では、広告対象オークション提示部４５は、例えば、特定の商品のオークションへの入札を受け付けるＷｅｂページが表示されている状態で、例えば、広告対象オークションの情報を優先度が大きい（高い）順にＷｅｂブラウザにより表示させる。例えば、所定時間（例えば１０秒）間隔で、各広告対象オークションの情報を表示する各ウインドウを切り換え表示させる。或いは、各広告対象オークションの情報を表示する各ウインドウをユーザの操作に応じて（例えば、マウスでクリックするごとに）切り換え表示させる。これにより、上記特定の商品のオークションに入札しようとする入札者に対して、複数の広告対象オークションの情報を見易く提示することができる（つまり、複数の広告対象オークションの情報が同時に表示されると見難いため）。
【００５９】
なお、ステップＳ５で特定された広告対象オークションに既に入札者がある場合、上記提示処理は行わないように構成してもよい。これにより、該広告対象オークションの入札者の利益を損ねることを防止することができる。
【００６０】
以上説明したように、上記実施形態によれば、情報処理サーバＳＡは、オークションへの入札を受け付けるＷｅｂページを通じて特定の商品のオークションに入札しようとする入札者が、他の入札者の入札によって該特定の商品の落札権限を喪失した入札者である場合に、当該特定の商品のオークションで出品された商品の商品名と商品コードの少なくとも何れか一つが一致する広告対象オークションで且つ当該特定の商品のオークションにおいて既に入札されている入札額で即時落札可能な広告対象オークションを特定し、特定した広告対象オークションの情報を上記特定の商品のオークションに入札しようとする入札者に提示するように構成したので、該商品を購入する意欲が高いユーザ（入札意欲が高まったユーザ）に対して、適切なタイミング（つまり、特定の商品のオークションに入札する前のタイミング）で広告対象オークションの情報を提示することができる。そのため、上記特定の商品のオークションに入札しようとする入札者に対して、例えば購入を望む商品の選択の幅を広げることができる。また、広告対象オークションの広告効果を高めることができる。
【００６１】
なお、システム制御部４の出品受付処理部４１は、設定された即決価格に基づいてステップＳ５で特定された広告対象オークションの広告費を再設定するように構成してもよい。例えば、出品受付処理部４１は、ステップＳ５で特定された複数の広告対象オークションの中で、設定された即決価格が相対的に高いオークションに設定された広告費を割り引く。または、出品受付処理部４１は、ステップＳ５で特定された複数の広告対象オークションの中で、設定された即決価格が相対的に低いオークションに設定された広告費を割り増す。このような構成によれば、広告対象オークションの出品者が支払う広告費に見合った利益を受けることができるように後から自動的に調整することができる。
【００６２】
また、出品受付処理部４１は、上記特定の商品のオークションに入札しようとする入札者により商品が購入される確率（転換率）を、該入札者の入札者ＩＤをキーとして、例えば、ユーザ情報データベース２２の購入履歴から取得し、取得した確率（転換率）に基づいて広告対象オークションの広告費を再設定するように構成してもよい。商品が購入される確率（転換率）が低いほど、該入札者により広告対象オークションに出品された商品が購入される期待値が低い。そのため、出品受付処理部４１は、上記特定の商品のオークションに入札しようとする入札者により商品が購入される確率（転換率）が閾値未満又は閾値以下と低い場合、該広告対象オークションの広告費を割り引く。または、出品受付処理部４１は、上記特定の商品のオークションに入札しようとする入札者により商品が購入される確率（転換率）が閾値より大きい又は閾値以上と高い場合、該広告対象オークションの広告費を割り増す。このような構成によれば、広告対象オークションの出品者が支払う広告費に見合った利益を受けることができるように後から自動的に調整することができる。
【００６３】
また、上記実施形態においては、情報処理サーバＳＡが、図４に示す処理を行うように構成（つまり、情報処理サーバＳＡが本発明の情報処理装置として機能する）したが、別の例として、ユーザ端末Ｔｎが本発明の情報処理装置として、情報処理サーバＳＡと連携しつつ図４に示す処理を行うように構成してもよい。この構成は、情報処理サーバＳＡからユーザ端末Ｔｎへ送信されるプログラムに基づく制御であり、ユーザ端末ＴｎのＣＰＵが表示制御手段、特定手段、及び提示手段等として機能する。また、この構成の場合、情報処理サーバＳＡは、ユーザ端末Ｔｎのユーザ（上記特定の商品のオークションへの入札を受け付けるＷｅｂページを通じて該特定の商品のオークションに入札しようとする入札者）が当該特定の商品の落札権限を喪失した入札者であるか否かを示す落札権限喪失入札者情報を当該ユーザ端末Ｔｎへ予め送信する。ここで、特定の商品のオークションに入札しようとする入札者は、上記ログイン処理によりユーザＩＤが特定されているユーザである。落札権限喪失入札者情報は、例えば、当該ユーザ端末Ｔｎへ送信されるＷｅｂページのデータ中に含められて送信されてもよいし、当該ユーザ端末ＴｎへＷｅｂページのデータが送信された後に送信されてもよい。
【００６４】
ユーザ端末Ｔｎのユーザが操作部を操作して入札しようとする能動的なアクションを行うと、当該ユーザ端末Ｔｎは、上記情報処理サーバＳＡから受信した落札権限喪失入札者情報に基づき、Ｗｅｂページを通じて該特定の商品のオークションに入札しようとする入札者（ユーザ端末Ｔｎのユーザ）が、他の入札者の入札によって該特定の商品の落札権限を喪失した入札者であるか否かを判定する（ステップＳ１）。そして、上記特定の商品のオークションに入札しようとする入札者が、他の入札者の入札によって該特定の商品の落札権限を喪失した入札者であると判定された場合（ステップＳ１：ＹＥＳ）、ユーザ端末Ｔｎは、上記特定の商品のオークションで出品された商品の商品名と商品コードの少なくとも何れか一つが一致する未終了の広告対象オークション（つまり、即決価格が設定され、且つ広告対象として設定されたオークション）があるか否かを情報処理サーバＳＡへ問い合わせることで判定する（ステップＳ２）。そして、ステップＳ２で広告対象オークションがあると判定された場合（ステップＳ２：ＹＥＳ）、ユーザ端末Ｔｎは、当該広告対象オークションの情報（例えば、商品特定情報、即決価格、現在価格、入札数等）を情報処理サーバＳＡから取得する（ステップＳ３）。なお、ステップＳ２で、ユーザ端末Ｔｎは情報処理サーバＳＡへ問い合わせるのではなく、ユーザ端末Ｔｎが上記特定の商品のオークションで出品された商品の商品コードと一致する商品コードを出品情報中に含む広告対象オークションに関する情報を事前に（例えば、落札権限喪失入札者情報を情報処理サーバＳＡから取得する際など）情報処理サーバＳＡから取得しておくように構成してもよい。この場合、ユーザ端末Ｔｎは、事前に取得した広告対象オークションに関する情報を参照して、ステップＳ２の判定を行うことになる。
【００６５】
次いで、ユーザ端末Ｔｎは、ステップＳ３で取得された広告対象オークションの中に、上記特定の商品のオークションにおいて既に入札されている入札額で即時落札可能な広告対象オークションがあるか否かを判定する（ステップＳ４）。例えば、上記特定の商品のオークションにおける現在価格（情報処理サーバＳＡから取得）と、広告対象オークションにおける即決価格（上記ステップＳ３で取得）とが比較され、上記即決価格が上記現在価格以下である広告対象オークションがある場合、既に入札されている入札額で即時落札可能な広告対象オークションがあると判定される。そして、ステップＳ３で取得された広告対象オークションの中に、上記特定の商品のオークションにおいて既に入札されている入札額で即時落札可能な広告対象オークションがあると判定された場合（ステップＳ４：ＹＥＳ）、ユーザ端末Ｔｎは、ステップＳ４で条件を満たすと判定された広告対象オークションを特定（例えば、オークションＩＤで特定）する。次いで、ユーザ端末Ｔｎは、ステップＳ５で特定された広告対象オークションが複数あるか否かを判定する（ステップＳ６）。そして、特定された広告対象オークションが複数ない（つまり、一つだけある）と判定された場合（ステップＳ６：ＮＯ）、ユーザ端末Ｔｎは、ステップＳ５で特定された広告対象オークションの情報を、上記特定の商品のオークションに入札しようとする入札者に提示する提示処理を実行する（ステップＳ７）。この提示処理では、ユーザ端末Ｔｎは、例えば、特定の商品のオークションへの入札を受け付けるＷｅｂページが表示されている状態で、広告対象オークションの情報をＷｅｂブラウザにより表示させる。一方、特定された広告対象オークションが複数あると判定された場合（ステップＳ６：ＹＥＳ）、ユーザ端末Ｔｎは、情報処理サーバＳＡで行われる場合と同様に、複数の広告対象オークションの少なくとも一部の広告対象オークションに対して広告提示の優先度を決定する（ステップＳ８）。そして、ユーザ端末Ｔｎは、ステップＳ８で決定した広告提示の優先度にしたがって、ステップＳ５で特定された広告対象オークションの情報を、上記特定の商品のオークションに入札しようとする入札者に提示する提示処理を実行する（ステップＳ９）。
【符号の説明】
【００６６】
１  通信部
２  記憶部
３  入出力インターフェース部
４  システム制御部
５  システムバス
Ｔｎ  ユーザ端末
ＳＡ  情報処理サーバ
ＮＷ  ネットワーク
【図１】
2014071761.tif 000003
【図２】
2014071761.tif 000004
【図３】
2014071761.tif 000005
【図４】
2014071761.tif 000006
【図５】
2014071761.tif 000007
【図６】
2014071761.tif 000008